(57)【要約】【課題】  処理端末１２ｎの記憶手段に動作異常が発生して処理データが読み出させなくなった場合であっても、他の処理端末１２ａ、１２ｂの記憶手段あるいは外部メディアＤから処理データを読み出して容易に当該処理データを復旧することが可能である。【解決手段】  サーバ３で発生した障害等によりデータベース３ａにデータが記録できない状態である場合、処理機本体１２ｎでの処理データを処理端末１２ｎの記憶手段に記録するとともに、他の処理端末１２ａ、１２ｂの記憶手段あるいは外部メディアＤに記録する縮退動作モードで処理を行うようにしたものである。【選択図】  図１
2005293287.tif 000002
【特許請求の範囲】
【請求項１】
紙葉類を処理する処理機本体と、前記処理機本体から取得する処理データを記録する記憶手段を具備する処理端末と、前記処理端末から転送される前記処理機本体での処理データを記録するデータベースを具備するサーバとから構成される紙葉類処理システムにおいて、
前記処理端末は、
前記処理機本体から取得する処理データが前記サーバの前記データベースに保存可能な状態か否かを判断する判断手段と、
この判断手段により前記サーバのデータベースに処理データが保存可能な状態であると判断した場合、前記処理データを前記記憶手段に記録するとともに、前記サーバへ前記処理データを転送する第１の処理手段と、
前記判断手段により前記サーバのデータベースに処理データが保存可能な状態ではないと判断した場合、前記処理データを前記記憶手段に記録するとともに、前記処理データを前記記憶手段とは異なる外部の記憶手段に記録する第２の処理手段と、を有する、
ことを特徴とする紙葉類処理システム。
【請求項２】
紙葉類を処理する処理機本体と、前記処理機本体から取得する処理データを記録する記憶手段を具備する処理端末と、前記処理端末から転送される前記処理機本体での処理データを記録するデータベースを具備するサーバとから構成される紙葉類処理システムにおいて、
前記処理端末は、
外部記録媒体にデータを記録する記録媒体処理手段と、
前記処理機本体から取得する処理データが前記サーバの前記データベースに保存可能な状態か否かを判断する判断手段と、
この判断手段により前記サーバのデータベースに処理データが保存可能な状態であると判断した場合、前記処理データを前記記憶手段に記録するとともに、前記処理データを前記サーバへ転送する第１の処理手段と、
前記判断手段により前記サーバのデータベースに処理データが保存可能な状態ではないと判断した場合、前記処理データを前記記憶手段に記録するとともに、前記処理データを前記記録媒体処理手段により外部記録媒体に記録する第２の処理手段と、を有する、
ことを特徴とする紙葉類処理システム。
【請求項３】
紙葉類を処理する複数の処理機本体と、各処理機本体と対応して設置され、対応する処理機本体から取得する処理データを記録する記憶手段を具備する複数の処理端末と、各処理端末から転送される各処理機本体での処理データを記録するデータベースを具備するサーバとから構成される紙葉類処理システムにおいて、
各処理端末は、
他の処理端末との通信を行う通信手段と、
対応する処理機本体から取得する処理データが前記サーバの前記データベースに保存可能な状態か否かを判断する判断手段と、
この判断手段により前記サーバのデータベースに処理データが保存可能な状態であると判断した場合、前記処理データを前記記憶手段に記録するとともに、前記サーバへ処理データを転送する第１の処理手段と、
前記判断手段により前記サーバのデータベースに処理データが保存可能な状態ではないと判断した場合、前記処理データを前記記憶手段に記録するとともに、前記処理データを前記通信手段により通信可能な他の処理端末へ転送する第２の処理手段と、を有する、
ことを特徴とする紙葉類処理システム。
【請求項４】
紙葉類を処理する処理機本体と、前記処理機本体から取得する処理データを記録する記憶手段を具備する処理端末と、前記処理端末から転送される前記処理機本体での処理データを記録するデータベースを具備するサーバとから構成される紙葉類処理システムに用いられるデータ処理方法であって、
前記処理機本体での処理結果を示す処理データが前記サーバの前記データベースに保存可能か否かを判断し、
この判断により前記データベースに前記処理データが保存可能であると判断した場合、前記処理データを前記処理端末の記憶手段に記録するとともに、前記データベースに前記処理データを記録し、
前記判断により前記データベースに前記処理データが保存可能でないと判断した場合、前記処理データを前記処理端末の記憶手段に記録するとともに、前記処理データを前記記憶手段とは異なる外部の記憶手段に記録する、
ことを特徴とする紙葉類処理システムに用いられるデータ処理方法。
【請求項５】
紙葉類を処理する処理機本体と、前記処理機本体から取得する処理データを記録する記憶手段及び外部記録媒体にデータを記録する記録媒体処理手段を具備する処理端末と、前記処理端末から転送される前記処理機本体での処理データを記録するデータベースを具備するサーバとから構成される紙葉類処理システムに用いられるデータ処理方法であって、
前記処理機本体での処理結果を示す処理データを前記サーバの前記データベースに保存可能か否かを判断し、
この判断により前記データベースに前記処理データが保存可能であると判断した場合、前記処理データを前記処理端末の記憶手段に記録するとともに、前記データベースに前記処理データを記録し、
前記判断により前記データベースに前記処理データが保存可能でないと判断した場合、前記処理データを前記処理端末の記憶手段に記録するとともに、前記処理データを前記記録媒体処理手段により外部記録媒体に記録する、
ことを特徴とする紙葉類処理システムに用いられるデータ処理方法。
【請求項６】
紙葉類を処理する複数の処理機本体と、各処理機本体と対応して設置され、対応する処理機本体から取得する処理データを記録する記憶手段を具備する複数の処理端末と、各処理端末から転送される各処理機本体での処理データを記録するデータベースを具備するサーバとから構成される紙葉類処理システムにおいて、
前記処理機本体での処理結果を示す処理データを前記サーバの前記データベースに保存可能か否かを判断し、
この判断により前記データベースに前記処理データが保存可能であると判断した場合、前記処理データを当該処理機本体に対応する処理端末の記憶手段に記録するとともに、前記データベースに前記処理データを記録し、
前記判断により前記データベースに前記処理データが保存可能でないと判断した場合、前記処理データを当該処理機本体に対応する処理端末の記憶手段に記録するとともに、前記処理データを当該処理端末以外の他の処理端末の記憶手段に記録する、
ことを特徴とする紙葉類処理システムに用いられるデータ処理方法。
【発明の詳細な説明】
【技術分野】
【０００１】
この発明は、例えば、紙葉類を検査し、その検査結果に基づいて紙葉類を処理する処理機本体とその処理機本体での処理データに対する処理を行う処理端末とその処理端末に接続されるサーバとから構成される紙葉類処理システム及び紙葉類処理システムに用いられるデータ処理方法に関する。
【背景技術】
【０００２】
従来、紙葉類に対する処理を行う紙葉類処理システムとしては、実際に紙葉類に対して、搬送処理、検査処理、仕上げ処理等を行う処理機本体と、この処理機本体から処理データを取得してその処理データの保存などの処理を行う処理端末とから構成されているものがある。このような紙葉類処理システムでは、処理機本体が、複数の紙葉類を順次搬送して、各紙葉類ごとに検査を行い、その検査結果に基づいて各紙葉類を区分して所定数ごとにまとめる仕上げ処理を行う。また、上記処理端末は、処理機本体における紙葉類の搬送状況、各紙葉類に対する検査結果及び所定数ごとの紙葉類に対する処理結果などを示す処理データを処理機本体から取得し、その処理データを当該処理端末内に保存したり、外部に設けられたサーバ内のデータベースに保存したりする。
【０００３】
このような紙葉類処理システムでは、サーバと接続している場合においては、処理機本体での処理結果を示す処理データを、サーバのデータベースと処理端末内のハードディスクとに記録している。しかしながら、上記サーバで障害が発生している場合、つまり、サーバがダウンしている場合、上記処理端末は、処理機本体から取得した処理データをデータベースに記録することができない。この場合、処理機本体から取得した処理データは、処理端末内のハードディスクに記録されるのみである。
【０００４】
このため、上記のような状況において、さらに、処理端末内のハードディスクに障害が発生した場合には、処理端末が処理機本体から取得してハードディスクに記録した処理データを消失し、その処理データを復元することができないようになってしまうという問題がある。特に、紙葉類に対して施した精密な検査の結果やその検査結果に基づく処理結果などが重要なデータである場合には、処理データを完全に保護する必要があるため、複数の障害が重なってしまうような場合であっても処理データが保障されるようなものが要望される。
【発明の開示】
【発明が解決しようとする課題】
【０００５】
この発明は、上記のような問題点を解決するものであり、処理機における処理結果を示す処理データを保障し、複数の障害が重なってしまうような場合であっても処理データを保護し、その処理データによるシステムの復元が容易となる紙葉類処理システム及び紙葉類処理システムに用いられるデータ処理方法を提供することを目的とする。
【課題を解決するための手段】
【０００６】
この発明の紙葉類処理システムは、紙葉類を処理する処理機本体と、前記処理機本体から取得する処理データを記録する記憶手段を具備する処理端末と、前記処理端末から転送される前記処理機本体での処理データを記録するデータベースを具備するサーバとから構成されるシステムにおいて、前記処理端末は、前記処理機本体から取得する処理データが前記サーバの前記データベースに保存可能な状態か否かを判断する判断手段と、この判断手段により前記サーバのデータベースに処理データが保存可能な状態であると判断した場合、前記処理データを前記記憶手段に記録するとともに、前記サーバへ前記処理データを転送する第１の処理手段と、前記判断手段により前記サーバのデータベースに処理データが保存可能な状態ではないと判断した場合、前記処理データを前記記憶手段に記録するとともに、前記処理データを前記記憶手段とは異なる外部の記憶手段に記録する第２の処理手段とを有する。
【０００７】
この発明の紙葉類処理システムに用いられるデータ処理方法は、紙葉類を処理する処理機本体と、前記処理機本体から取得する処理データを記録する記憶手段を具備する処理端末と、前記処理端末から転送される前記処理機本体での処理データを記録するデータベースを具備するサーバとから構成される紙葉類処理システムに用いられる方法であって、前記処理機本体での処理結果を示す処理データが前記サーバの前記データベースに保存可能か否かを判断し、この判断により前記データベースに前記処理データが保存可能であると判断した場合、前記処理データを前記処理端末の記憶手段に記録するとともに、前記データベースに前記処理データを記録し、前記判断により前記データベースに前記処理データが保存可能でないと判断した場合、前記処理データを前記処理端末の記憶手段に記録するとともに、前記処理データを前記記憶手段とは異なる外部の記憶手段に記録することを特徴とする。
【発明の効果】
【０００８】
この発明によれば、処理機における処理結果を示す処理データを保障し、複数の障害が重なってしまうような場合であっても処理データを保護し、その処理データによるシステムの復元が容易となる紙葉類処理システム及び紙葉類処理システムに用いられるデータ処理方法を提供できる。
【発明を実施するための最良の形態】
【０００９】
以下、この発明を実施するための最良の形態について図面を参照して説明する。  
図１は、この発明の実施の形態に係る紙葉類処理システムの構成例を概略的に示す図である。
【００１０】
図１に示すように、紙葉類処理システムは、複数の紙葉類処理装置１（１ａ、１ｂ、…、１ｎ）と、各紙葉類処理装置１にＬＡＮ２を介して接続されるサーバ３とを有している。各紙葉類処理装置１（１ａ、１ｂ、…、１ｎ）は、処理機本体１１（１１ａ、１１ｂ、…、１１ｎ）と、各処理機本体に対応して設けられる処理端末１２（１２ａ、１２ｂ、…、１２ｎ）とから構成される。
【００１１】
各処理機本体１１は、紙葉類を詳細に検査し、その検査結果に基づいて紙葉類を正券、損券、排除券などの種別ごとに区分し、正券の紙葉類を所定数ごとに施封及び結束などの処理を施して仕上げ処理するものである。また、各処理機本体１１は、それぞれ処理データを記憶するメモリ２２が設けられており、メモリ２２には、処理データが記憶される。
【００１２】
また、各処理端末１２は、対応する処理機本体１１から紙葉類の処理結果あるいは停止情報（ジャム情報）などを示す処理データを取得し、それらの処理データを記憶する機能を有している。さらに、各処理端末１２は、対応する処理機本体１１から取得した処理データに基づいて、上記各処理バッチ毎の計数処理結果、リジェクトデータ、あるいはエラー内容などの保存用の処理データとして編集する機能を持っている。
【００１３】
また、上記処理端末１２は、上記ＬＡＮ２に接続され、上記ＬＡＮ２を介してサーバ３や他の処理端末１２とのデータ通信を行う機能を有している。この機能により、各処理端末１２は、保存用の処理データをサーバ３や他の処理端末１２へ転送することができるようになっている。さらには、上記処理端末１２は、外部記録媒体としての外部メディアＤにデータを記録する機能も有している。
【００１４】
上記サーバ３は、ＬＡＮ２を介して各紙葉類処理装置１の処理端末１２に接続され、各処理端末１２とのデータ通信機能を有している。また、上記サーバ３は、各処理機本体１１での処理データを蓄積するデータベース３ａを有している。このような構成により、上記サーバ３は、各処理端末１２を介して各処理機本体１１での処理結果を示すデータを取得し、その取得したデータを上記データベース３ａに記憶するようになっている。
【００１５】
また、上記サーバ３は、上記データベース３ａに蓄積されたデータを出力するためのデータ端末４が接続されている。すなわち、上記サーバ３のデータベース３ａに蓄積されたデータは、操作員が上記データ端末４を操作することにより、帳票Ｓ等に出力できるようになっている。
【００１６】
次に、各紙葉類処理装置（紙葉類処理システム）を構成する処理機本体１１と処理端末１２との構成について説明する。  
図２は、各紙葉類処理装置１を構成する処理機本体１１の構成例と処理端末１２の構成例とを概略的に示す図である。
【００１７】
すなわち、上記処理機本体１１は、図２に示すように、制御部２１、メモリ２２、通信部２３、搬送部２４、検査部２５、及び紙葉類処理部２６などを有している。上記制御部２１は、処理機本体１１内の各部を制御する機能を有しており、上記処理機本体１１全体の制御を司るものである。
【００１８】
上記メモリ２２は、上記搬送部２４による紙葉類の搬送状況、上記検査部２５による紙葉類の検査結果および上記紙葉類処理部による紙葉類の処理結果などの処理データを記録する不揮発性メモリ等の記憶手段である。上記通信部２３は、各処理端末１２とのデータ通信を行うための通信インターフェースである。
【００１９】
上記搬送部２４は、図示しない投入部に投入された紙葉類を上記検査部２５や紙葉類処理部２６などに搬送する搬送手段である。また、上記搬送部２４は、各紙葉類の搬送状況を示すデータを上記制御部２１へ供給するようになっている。例えば、搬送中に紙葉類の搬送異常（ジャム）が発生した場合には、上記搬送部２４はジャムが発生したことを上記制御部２１へ通信するようになっている。
【００２０】
上記検査部２５は、上記搬送部２４により搬送される紙葉類を検査する検査手段である。また、上記検査部２５は、紙葉類の検査結果を示すデータを制御部２１へ供給するようになっている。例えば、上記検査部２５は、当該処理機本体１１に識別番号順の複数の紙葉類が投入される場合にはそれぞれの紙葉類を順次に検査し、各紙葉類に対する検査結果を示すデータを上記制御部２１へ通知するようになっている。
【００２１】
上記紙葉類処理部２６は、上記搬送部２４により搬送される紙葉類に対して処理を施すものであり、例えば、上記紙葉類処理部２６は、当該処理機本体１１に識別番号順の複数の紙葉類が投入される場合には上記検査部２５にて検査された紙葉類を順に集積して所定数ごとに施封し、その施封した紙葉類の数や識別番号等を示すデータを制御部２１へ供給するようになっている。
【００２２】
また、上記処理端末１２は、図２に示すように、制御部３１、メモリ３２、通信部３３、ハードディスクドライブ３４、及び記録媒体処理部などを有している。上記制御部２１は、処理端末１２内の各部を制御する機能を有しており、上記処理端末１２全体の制御を司るものである。
【００２３】
上記メモリ３２は、上記処理機本体１１から取得したデータや送受信用のデータなどを一時的に保持する記憶手段である。上記通信部３３は、上記処理機本体１１とのデータ通信及び上記ＬＡＮ２を介してサーバや他の処理端末１２とのデータ通信を行うための通信インターフェースである。
【００２４】
上記ハードディスクドライブ３４は、上記処理機本体１１から取得した処理データをファイルとして保持する記憶装置である。上記外部メディア用ドライブ３５は、記録媒体処理手段として機能し、磁気や光によってデータが記録される外部記録媒体としての外部メディアＤにデータを記録する装置である。上記外部メディア用ドライブ３５により上記外部メディアＤには上記処理データなどが記録されるようになっている。
【００２５】
次に、上記のように構成される紙葉類処理システムの動作について説明する。
【００２６】
まず、上記処理機本体１１の動作について説明する。図３は、上記処理機本体１１の動作例を説明するためのフローチャートである。
【００２７】
上記処理機本体１１による業務を開始する際（その日の処理を開始する際）、オペレータは、図示しない操作部にて業務開始を指示する。この業務開始の指示に基づいて、上記制御部２１は、当該処理機本体１１を起動させるとともに、当該処理機本体１１に対応している上記処理端末１２へ業務開始を通知する。当該処理機本体１１が起動すると、上記制御部２１は、オペレータにより指定される処理モードに基づいて図示しない投入部に投入される紙葉類に対する処理を開始する（ステップＳ１１）。
【００２８】
上記処理機本体での紙葉類に対する処理としては、上記搬送部２４により投入された紙葉類を上記検査部２５へ搬送し、上記検査部２５にて当該紙葉類に対する検査を行い、さらに、上記検査部２５にて検査された紙葉類は、上記搬送部２４にて上記紙葉類処理部２６に搬送された所定数ごとの施封処理などが施される。このような紙葉類に対する処理において、上記搬送部２４による紙葉類の搬送状況（ジャムの発生状況等）、上記検査部２５による検査結果、及び、上記紙葉類処理部２６による処理結果などのデータは、上記制御部２１に通知される。
【００２９】
上記制御部２１では、紙葉類に対する処理における各部からの種々のデータを収集し、所定の処理単位分ごとに（ステップＳ１２、ＹＥＳ）、当該紙葉類に対する処理の処理内容を示す処理データとして生成する（ステップＳ１３）。上記処理データを生成すると、上記制御部２１は、その処理データを処理機本体１１内の不揮発性メモリとしての上記メモリ２２に記録するとともに、上記処理端末１２へ転送する。
【００３０】
また、業務を終了する際（その日の処理を終了する際）（ステップＳ１６、ＹＥＳ）、オペレータは、図示しない操作部にて業務終了を指示する。この業務終了の指示に基づいて、上記制御部２１は、当該処理機本体１１に業務終了を通知する（ステップＳ１７）。
【００３１】
次に、上記処理端末１２の動作について説明する。
【００３２】
まず、上記処理端末１２の動作モードについて説明する。図４は、業務開始時における上記処理端末１２の動作例を説明するためのフローチャートである。
【００３３】
ずなわち、上記処理機本体１１から業務開始の指示を受信した場合（ステップＳ２１）、上記処理端末１２の制御部３１は、当該処理端末１２の起動処理を行う（ステップＳ２２）。この起動処理では、所定の制御プログラムの立ち上げる処理などにより上記処理機本体１１からの処理データに対する処理を可能な状態とする。この起動処理により当該処理端末１２が起動すると、上記制御部３１は、上記サーバ３との接続処理を行う（ステップＳ２３）。
【００３４】
このサーバ３との接続処理において、上記制御部３１は、上記ＬＡＮ２を介してサーバ３へ接続する処理を行う。例えば、上記制御部３１は、上記ＬＡＮ２を介してサーバ３への要求を送信し、その接続要求に対するサーバ３から応答に基づいてサーバ３との接続が確立したか否か（データベース３にデータが記録可能か否か）を判断する。この場合、上記サーバ３からの応答がない場合、あるいは上記サーバ３からデータベース３ａが使用不能である旨の応答を受けた場合、上記制御部３１は、上記サーバ３との接続が不可であると判断する。
【００３５】
上記接続処理により上記サーバ３との接続が確立した場合（ステップＳ２４、ＹＥＳ）、上記制御部３１は、当該処理端末１２の動作モードを通常動作モードとして処理を行う（ステップＳ２５）。この通常動作モードとは、上記処理機本体１１から取得する処理データを当該処理端末１２のＨＤＤ３４に記録するとともに、上記サーバ３のデータベース３ａに記録する動作モードである。
【００３６】
この通常動作モードの場合、上記処理機本体１１から取得する処理データは、処理端末１２のＨＤＤ３４に記録されるとともに、上記データベース３ａに記録される。このため、上記サーバ３（又はデータベース３ａ）あるいは上記処理端末１２（あるいはＨＤＤ３４）に障害が発生した場合であっても、データベース３ａかＨＤＤ３４の何れかから処理データを復旧することができる。
【００３７】
また、上記接続処理により上記サーバ３との接続が不可となった場合（ステップＳ２４、ＮＯ）、上記制御部３１は、当該処理端末１２の動作モードを縮退動作モードとして処理を行う（ステップＳ２６）。この縮退動作モードとは、上記処理機本体１１から取得する処理データを当該処理端末１２のＨＤＤ３４に記録するとともに、他の処理端末のＨＤＤあるいは外部メディアＤに記録する動作モードである。
【００３８】
すなわち、この縮退動作モードの場合、上記処理機本体１１から取得する処理データは、処理端末１２のＨＤＤ３４に記録されるとともに、上記ＬＡＮ２を介して通信可能な他の処理端末のＨＤＤあるいは上記外部メディア用ドライブ３５にて外部メディアＤに記録される。このため、上記処理端末１２（あるいはＨＤＤ３４）に障害が発生した場合であっても、他の処理端末のＨＤＤあるいは外部メディアＤに記録されている処理データを容易に復旧することができる。
【００３９】
上記のようなサーバと接続している通常動作モードで処理を行っている場合、サーバ３のデータベース３ａには過去(一定期間)のすべての処理データを記録し、処理端末１２のＨＤＤ３４には当日分（当該業務分）のデータを記録し、処理機本体の不揮発性メモリ２２には最後（最新）の処理モードで処理した分の処理データを記録している。このため、通常動作モードで処理を行っている場合には、サーバ３および処理端末のＨＤＤ３４が同時に故障しない限り、処理データを消失することがないようになっている。
【００４０】
しかしながら、上記のような通常動作モードでデータベース３ａへ記録を省略すると、処理端末１２のＨＤＤ３４に当日分の処理データを保存している以外は、処理機本体の不揮発性メモリに最後の処理モードで処理した分の処理データを保持しているのみである。この場合、処理端末１２のＨＤＤ３４にディスク異常等の故障が発生すると、最新の処理モードで処理した分の処理データについては処理機本体の不揮発性メモリ上に保持しているが、当日の既に終了している処理分の処理データを消失してしまうこととなる。このため、本実施の形態では、サーバとの接続ができない場合には、上記縮退動作モードでの処理として、後述するような処理を実行するようにしている。
【００４１】
次に、上記のような縮退動作モードにおける上記処理端末１２の動作について説明する。  
図５は、縮退動作モードでの上記処理端末１２の動作例を説明するためのフローチャートである。  
ここでは、前提として、上記処理端末１２が縮退動作モードで動作しているものとする。この場合、上記処理端末１２は、上記処理機本体１１からの処理データが受信可能な状態となっている。この状態において上記処理機本体１１から送信された処理データを受信すると（ステップＳ３１、ＹＥＳ）、上記処理端末１２の制御部３１は、上記処理機本体１１から受信した処理データを自身のＨＤＤ３４に記録する（ステップＳ３２）。
【００４２】
この際、上記制御部３１は、上記ＨＤＤ３４に記録した処理データを他の処理端末にも記録するように設定されているか否かを判定する（ステップＳ３３）。ここで、他の処理端末にも処理データを記録するように設定されていると判定した場合（ステップＳ３３、ＹＥＳ）、上記制御部３１は、上記ＨＤＤ３４に記録した処理データを他の処理端末へＬＡＮ２を介して転送する（ステップＳ３４）。これにより、上記処理データは、他の処理端末のＨＤＤにも記録される（ステップＳ３５）
また、上記のような処理データが転送された他の処理端末では、上記通信部により転送されてきた処理データを受信し、その処理データを自身のＨＤＤに記録するようになっている。
【００４３】
なお、処理データを記録する他の処理端末は、予め転送先の処理端末として設定しておくようにしても良いし、上記制御部３１がＬＡＮ２を介して接続可能な他の処理端末から選択するようにしても良い。さらに、上記のような処理データは、上記外部メディア用ドライブ３５により外部メディアＤにも記録するようにしても良い。
【００４４】
また、処理機本体１１から業務終了通知を受信した場合（ステップＳ３６、ＹＥＳ）、上記制御部３１は、当該業務全体の処理データの編集処理を行う（ステップＳ３７）。この編集処理では、例えば、当該業務の処理データのデータフォーマットを変換する処理等が行われる。この編集処理により当該業務の処理データを編集すると、上記制御部３１は、当該業務の処理データをＨＤＤ３４に記録する（ステップＳ３８）。
【００４５】
すなわち、上記制御部３１は、上記ＨＤＤ３４に記録した当該業務の処理データを外部メディアＤにも記録するように設定されているか否かを判定する（ステップＳ３９）。ここで、外部メディアＤにも当該業務の処理データを記録するように設定されていると判定した場合（ステップＳ３９、ＹＥＳ）、上記制御部３１は、上記編集処理により編集した当該業務の処理データを上記外部メディア用ドライブ３５により外部メディアＤに記録する（ステップＳ４０）。
【００４６】
これにより、当該業務の処理データは、自身のＨＤＤ３４の他に外部メディアＤにも記録される。なお、当該業務の処理データは、ＬＡＮ２を介して他の処理端末へ転送することにより、上記ステップＳ３４及びＳ３５と同様な動作によって、他の処理端末の記憶手段としてのＨＤＤにも記録するようにしても良い。
【００４７】
なお、上記実施の形態では、ある処理端末が対応する処理機本体から受信した処理データを自身の記憶手段と他の処理端末の記憶手段とに保存するようにしたが、さらに、複数の他の処理端末の記憶手段で同様に処理データを保存するようにしても良い。この場合、複数の処理端末で１台の処理機本体の処理データに対する安全性をさらに高めることができる。
【００４８】
また、上記のような紙葉類処理システムでは、各処理機本体がＬＡＮにより各処理端末と接続することが可能であるため、例えば、処理機本体が業務を開始する際に、当該処理機本体が対応する処理端末に障害が発生している場合に、接続可能な他の処理端末に接続してその処理端末により処理を実施するようにしても良い。この場合、特定の処理端末で障害が発生しても処理機本体は紙葉類に対する処理を実行でき、かつ、その処理データを複数の記憶手段に保存するもできる。
【００４９】
上記のように、本実施の形態では、サーバのダウン等により所定のデータベースにデータが記録できない状態である場合、処理機本体での処理データを処理端末の記憶手段に記録するとともに、他の処理端末あるいは外部メディアに記録する縮退動作モードで処理を行うようにしたものである。
【００５０】
これにより、処理端末の記憶手段に動作異常が発生して処理データが読み出させなくなった場合であっても、他の処理端末あるいは外部メディアから処理データを読み出して容易に復旧することが可能である。特に、処理データが重要なデータである場合には処理データを保障することができ、システム全体としての信頼性を高めることができる。
【００５１】
また、業務終了時に、処理端末は当該業務分のデータを自身のハードディスクドライブに保存するとともに外部メディアにも保存するようにしたものである。このため、上記処理端末のハードディスクドライブにディスク異常等の故障が発生した場合にも、当該処理端末が復旧した後に、終了済み業務の処理データを外部メディアから読出して処理端末に復元することができ、処理データを保障することができる。
【００５２】
また、縮退動作モードでの処理中において、処理端末は処理機本体から取得した処理データを自身のハードディスクドライブ（記憶手段）に保存するとともに他の処理端末のハードディスク（記憶手段）にも保存するようにしたものである。
【００５３】
従って、縮退動作モードで処理中に、処理端末と同時に処理機本体が故障した場合であっても、処理データは他の処理端末に保存されているため、当該処理端末及び処理機本体が復旧した後に、その処理データを他の処理端末から読み出して復元することができ、計数データなどの処理データを保障することができる。
【図面の簡単な説明】
【００５４】
【図１】この発明の実施の形態に係る紙葉類処理システムの構成例を概略的に示す図。
【図２】各紙葉類処理装置を構成する処理機本体と処理端末１２との構成例とを概略的に示す図。
【図３】処理機本体の動作例を説明するためのフローチャートである。
【図４】業務開始時における処理端末の動作例を説明するためのフローチャート。
【図５】縮退動作モードでの処理端末の動作例を説明するためのフローチャート。
【符号の説明】
【００５５】
Ｄ…外部メディア、１…紙葉類処理装置、２…ＬＡＮ、３…サーバ、３ａ…データベース、１１…処理機本体、１２…処理端末、２１…制御部、２２…メモリ（不揮発性メモリ）、２３…通信部、２４…搬送部、２５…検査部、２６…紙葉類処理部、３１…制御部、３２…メモリ、３３…通信部、３４…ハードディスクドライブ（ＨＤＤ）、３５…外部メディア用ドライブ
【図１】
2005293287.tif 000003
【図２】
2005293287.tif 000004
【図３】
2005293287.tif 000005
【図４】
2005293287.tif 000006
【図５】
2005293287.tif 000007